(57)【要約】【課題】エアゾール容器体Ａに噴出具Ｂを装着したもので、必要噴出回数がロック機構により感触的に認知でき、その構造も従来のものと相違して、その作動操作に無理がなく耐久性に富み、また、必要回数の噴出後ロック機構が作動した後、このロック機構を解除して新たに最初から必要回数の噴出が行える液体噴出器を提案する。【解決手段】ノズル３の押し下げ回数を認知する認知システムを備えており、この認知システムは、ノズルの上部外周に装着した筒状の押釦４の押し下げによりノズル周囲の回転部材５を所定角度回転させる回転機構C1と、該回転機構と連繋し、所定回数の押釦の押し下げ時にステムの上昇を防止するロック機構C2とから構成した。また、ロック状態を解除するロック解除機構C3を設けた。【選択図】図２
2006325763.tif 000002
【特許請求の範囲】
【請求項１】
エアゾール容器体Ａ上に固定したカバー筒２と、前記エアゾール容器体上端に上方付勢状態で押し込み可能に突設したステム８に嵌着するとともに、前記カバー筒の頂部より上端部を突設したノズル３と、前記ノズルの上部外周部に回転可能且つ前記ノズルの押し下げを可能に装着した筒状の押釦４と、前記ノズルの押し下げ回数を認知する認知システムとを備え、前記認知システムは、前記ノズル周囲に回転可能且つ上方付勢状態で押し下げ可能に設けた回転部材５を前記押釦の押し下げにより所定角度回転させる回転機構C1と、該回転機構と連繋させるとともに、前記押釦の所定回数の押し下げ時に前記ステムの上昇を防止するロック機構C2とを備え、前記回転機構は、前記カバー筒内の周縁部に放射状に設け且つ下面にそれぞれ第１傾斜面S1を設けた複数の仕切板20と、前記カバー筒の内周縁下部に環状に配置した複数の第２傾斜面S2と、一対の前記仕切板間に先端部を位置させ且つ前記第１傾斜面S1と摺動する第３傾斜面S3及び前記第２傾斜面と摺動する第４傾斜面S4をそれぞれ上下面に有する回動腕27を突設した前記回転部材とを備え、前記押釦の押し下げによる前記回転部材の下降時に前記第４傾斜面が前記第２傾斜面を摺動し、且つ、前記回転部材の上昇時に前記第３傾斜面が前記第１傾斜面を摺動して前記回動腕が隣接する仕切板20t を乗り越える如く構成し、前記ロック機構は、所定位置に幅広なロック用の仕切板20a を設けて、その下面に前記回動腕を係止可能に構成したことを特徴とする液体噴出器。
【請求項２】
前記ロック機構C2のロック状態を解除するロック解除機構C3を設け、該ロック解除機構は、前記押釦４を前記回転部材５の所定回転位置で係合可能に構成してロック状態の回動腕27を強制的に回動させる如く構成してなる請求項１記載の液体噴出器。
【請求項３】
前記ロック解除機構C3によるロック解除の際に、前記回転部材５の回転により音を発する音出機構を設けてなる請求項２記載の液体噴出器。
【請求項４】
前記認知システムとして、前記回転機構C1と、前記ロック機構C2と、前記回動腕27がロック状態に移行した際に、前記カバー筒２の所定位置に設けた窓孔19に表示28を臨ませる表示機構C4とから構成してなる請求項１記載の液体噴出器。
【請求項５】
前記回転部材５が、前記回動腕27とそれぞれ所定角度離間位置に前記ロック用の仕切板20a と非接触の突出幅の短い補助回動腕27a を複数突設するとともに、前記各補助回動腕と対応する所定位置の仕切板を、内側端面が外方へ凹み且つ前記各補助回動腕が非接触な矮狭仕切板20b として構成してなる請求項１記載の液体噴出器。
【請求項６】
前記回動腕27と等間隔に同形態の複数の補助回動腕27a を突設するとともに、前記ロック用の仕切板20a と等間隔に前記補助回動腕と対応するロック用の仕切板20a を設けてなる請求項１記載の液体噴出器。
【発明の詳細な説明】
【技術分野】
【０００１】
本発明は液体噴出器に関し、詳しくは、噴出液の量を認知できる液体噴出器に関する。
【背景技術】
【０００２】
この種の噴出器として、例えば医薬品等の所定量の使用が義務付けられている収納液を、所定量の使用が判断できるようにしたものが知られている。（特許文献１）
【０００３】
上記噴出器は、上端開口が設けられた容器と、この容器から前記開口を経て投与流体を分配する手段と、この分配手段を容器の開口に締め付けるリングナットと、分配手段を作動させる移動可能な作動部材である鼻とを備え、また、リングナットに対する鼻の移動を回転素子の回転及び軸線方向往復運動に変換する弾性手段を備え、回転素子に連続する数字表示が設けられ、この数字表示が分配投与毎に予定の観察位置である窓に順次位置され得るように構成されている。
【０００４】
また、前記弾性手段は円周方向に離間された一連の可撓性の小脚で構成され、これらの小脚が鼻の第１組の一方向の鋸状歯と反作用し得る上部と、リングナットの第２組の一方の鋸状歯と反作用し得る下部と、回転素子に取付られた中間部分とを有し、これにより第１組の鋸状歯が前記鼻の作用によって第２組の鋸状歯に近づく際に、前記小脚の上部が第１の鋸状歯の対応する歯から外れて直ぐ隣接する歯に歯合されて小脚の前記中間部分を回転及び軸線方向に前進運動させ、また、前記第１組の鋸状歯が前記第２組の鋸状歯の対応する歯から外れて直ぐ連設する歯に歯合し、これにより前記小脚の前記中間部分を回転及び軸線方向に後進運動させるように構成している。
【０００５】
そして、上記した如く鼻を押し下げることにより窓に投与数の数値が現れ、また、予定の最大分量医薬投与数の終了後、回転素子から突出している半径方向ロケーターが鼻から突出している半径方向ロケーターに当たってストップする如く構成している。
【特許文献１】特許第３２１１８９４号公報
【発明の開示】
【発明が解決しようとする課題】
【０００６】
前記の如き噴出器は、前記した如く、最大分量医薬投与数が回転素子のストップにより判断できるものであるが、その時点で投与数に係る判断は終了する。確かに、前記噴出器ではストップ後に容器体内の医薬を完全に使用し尽くすために鼻を押し下げることができるものではあるが、あくまで残液処理のためであり、基本的に１回の必要投与数が終了すれば噴出器の使用が終了するという構成としている。
【０００７】
本発明は必要噴出回数がロック機構により触覚的に認知でき、その構造も従来のものと相違して、その作動操作に無理がなく耐久性に富んだ液体噴出器を提案するものである。また、必要回数の噴出後ロック機構が作動した後、このロック状態を解除して新たに最初から必要回数の噴出が行える液体噴出器を提案するものである。更に、ロック機構作動後のロック解除の際に音が発して、ロック解除をより明確に認識できる液体噴出器を提案する。また、ロック機構のみならず、表示機構によって目視的にも必要噴出回数が認識できる、液体噴出器を提案する。
【課題を解決するための手段】
【０００８】
第１の手段として、エアゾール容器体Ａ上に固定したカバー筒２と、前記エアゾール容器体上端に上方付勢状態で押し込み可能に突設したステム８に嵌着するとともに、前記カバー筒の頂部より上端部を突設したノズル３と、前記ノズルの上部外周部に回転可能且つ前記ノズルの押し下げを可能に装着した筒状の押釦４と、前記ノズルの押し下げ回数を認知する認知システムとを備え、前記認知システムは、前記ノズル周囲に回転可能且つ上方付勢状態で押し下げ可能に設けた回転部材５を前記押釦の押し下げにより所定角度回転させる回転機構C1と、該回転機構と連繋させるとともに、前記押釦の所定回数の押し下げ時に前記ステムの上昇を防止するロック機構C2とを備え、前記回転機構は、前記カバー筒内の周縁部に放射状に設け且つ下面にそれぞれ第１傾斜面S1を設けた複数の仕切板20と、前記カバー筒の内周縁下部に環状に配置した複数の第２傾斜面S2と、一対の前記仕切板間に先端部を位置させ且つ前記第１傾斜面S1と摺動する第３傾斜面S3及び前記第２傾斜面と摺動する第４傾斜面S4をそれぞれ上下面に有する回動腕27を突設した前記回転部材とを備え、前記押釦の押し下げによる前記回転部材の下降時に前記第４傾斜面が前記第２傾斜面を摺動し、且つ、前記回転部材の上昇時に前記第３傾斜面が前記第１傾斜面を摺動して前記回動腕が隣接する仕切板20t を乗り越える如く構成し、前記ロック機構は、所定位置に幅広なロック用の仕切板20a を設けて、その下面に前記回動腕を係止可能に構成した。
【０００９】
第２の手段として、前記第１の手段に於いて、前記ロック機構C2のロック状態を解除するロック解除機構C3を設け、該ロック解除機構は、前記押釦４を前記回転部材５の所定回転位置で係合可能に構成してロック状態の回動腕27を強制的に回動させる如く構成した。      
【００１０】
第３の手段として、前記第２の手段に於いて、前記ロック解除機構C3によるロック解除の際に、前記回転部材５の回転により音を発する音出機構を設けた。
【００１１】
第４の手段として、前記第１の手段に於いて、前記認知システムとして、前記回転機構C1と、前記ロック機構C2と、前記回動腕27がロック状態に移行した際に、前記カバー筒２の所定位置に設けた窓孔19に表示28を臨ませる表示機構C4とから構成した。
【００１２】
第５の手段として、前記第１の手段に於いて、前記回転部材５が、前記回動腕27とそれぞれ所定角度離間位置に前記ロック用の仕切板20a と非接触の突出幅の短い補助回動腕27a を複数突設するとともに、前記各補助回動腕と対応する所定位置の仕切板を、内側端面が外方へ凹み且つ前記各補助回動腕が非接触な矮狭仕切板20b として構成した。
【００１３】
第６の手段として、前記第１の手段に於いて、前記回動腕27と等間隔に同形態の複数の補助回動腕27a を突設するとともに、前記ロック用の仕切板20a と等間隔に前記補助回動腕と対応するロック用の仕切板20a を設けた。
【発明の効果】
【００１４】
本発明の液体噴出器は、押釦４を押し込むいう簡単な操作により所定の噴出液が噴出し、また、収納液の必要噴出回数に至った際にロック機構C2が作動し、回動腕27の上昇が阻止され、その結果、液の噴出が防止されて噴出液が所定量に到達したことを触覚的に認知できるものである。また、その認知システムを構成する回転機構C1も、前記押釦の押し下げによる前記回転部材の下降時に前記第４傾斜面が前記第２傾斜面を摺動し、且つ、前記回転部材の上昇時に前記第３傾斜面が前記第１傾斜面を摺動して前記回動腕が隣接する仕切板20t を乗り越えるため、無理のない作動で耐久性に富み、その操作も極めて容易である。
【００１５】
また、ロック解除機構C3を設けた場合には、必要噴出回数の終了後再び最初から必要噴出回数の噴出が可能であり、エアゾール容器体Ａの容量に従って何度でもこの操作を繰り返すことができる。
【００１６】
また、押釦４を回転部材５の所定回転位置で係合可能に構成したロック解除機構C3とした場合には、ロック解除にあたり、単に押釦４を所定方向に回動させるという簡単な操作により行える。
【００１７】
ロック解除機構C3によるロック解除の際に、回転部材５の回転により音を発する音出機構を設けたものにあっては、ロック解除を聴覚によってより鮮明に認識できる利点がある。
【００１８】
認知システムとして、前記回転機構C1と、前記ロック機構C2と、前記回動腕27がロック状態に移行した際に、前記カバー筒２の所定位置に設けた窓孔19に表示28を臨ませる表示機構C4とから構成した場合には、感触のみでなく視覚でも液の噴出の終了を認識でき、より確実に予定量を理解できる。
【００１９】
前記回転部材５が、前記回動腕27と所定角度離間位置に前記ロック用の仕切板20a と非接触の突出幅の短い補助回動腕27a を複数突設するとともに、前記ロック用の仕切板から前記各補助回動腕と対応する所定位置の仕切板を、内側端面が外方へ凹み且つ前記各補助回動腕が非接触な矮狭仕切板20b として構成した場合には、回転腕27と補助回転腕27a によりガタツキのない安定した回転部材５の回転を行えるものであり、円滑な液の噴出を行えるものである。
【００２０】
前記回動腕27と等間隔に同形態の複数の補助回動腕を突設するとともに、前記ロック用の仕切板20a と等間隔に前記補助回動腕と対応するロック用の仕切板20a を設けた場合には、回動部材５が一周する間に複数回のロック及びロック解除を行うことができ、必要量の少ない内容物の場合に好適であり、この場合もガタツキのない安定した回転部材の回動を行えるものである。
【発明を実施するための最良の形態】
【００２１】
以下、本発明の実施例の形態を図面を参照して説明する。
【００２２】
図１は本発明液体噴出器１の一例を示し、該噴出器１はエアゾール容器体Ａと、噴出具Ｂとを備え、更に噴出具Ｂは、カバー筒２と、ノズル３と、押釦４と、回転部材５とを備えている。
【００２３】
エアゾール容器体Ａは、内部に定量バルブを内臓した筒状の胴部７上端より上方付勢状態で押し下げ可能にステム８を立設し、ステム８の押し下げにより定量の液がステム８より噴出する如く構成した公知構成のものである。
【００２４】
カバー筒２は、下端部をエアゾール容器体Ａの上端外周に嵌着固定し、頂部にノズル３，押釦４等を突出するための窓孔９を設けている。図示例では、周壁10上端縁より、中央部に前記窓孔９を設けた頂壁11を延設したカバー筒本体2aの下端部に別体として形成した取付部材2bを嵌着し、この取付部材2bを介してエアゾール容器体Ａに嵌着固定している。      
【００２５】
取付部材2bは、エアゾール容器体Ａの外周上端部に嵌着させた嵌合筒部12を、フランジ状の台板部13の下面より垂設し、また、台板部13の内周縁より回転部材５の上下動を案内する案内筒部14を垂設している。また、台板部13の外周縁にはカバー筒本体2aと嵌合させるための連結筒部15を垂設している。連結筒部15は下端部をフランジを介して大径に形成し、また、その上端部に位置合せ用の凹溝16を設けている。
【００２６】
前記取付部材2bの連結筒部15外周にカバー筒本体2aの周壁10の下部を、凹凸係合手段による抜け出し防止を図って嵌着し、両者を一体化させている。周壁10は上下方向中央に於いてフランジを介して縮径し、そのフランジ下方の周壁10内面より前記凹溝16に嵌合する嵌合突部18を突設して、両者を所定位置に嵌合できる如く構成している。また、周壁10の上部所定位置には窓孔19を穿設している。
【００２７】
また、カバー筒２内の上部周縁部には複数の仕切板20を放射状に設けている。各仕切板20は等間隔に設けられ、その下面はそれぞれ半径と直行する方向を向く第１傾斜面S1として構成している。但し、本例では後述するロック機構を形成するために、所定の一箇所の仕切板を幅広で且つ中心側端面を外方へ凹ませて径方向の長さを短くするとともに、下面一側縁に前記第１傾斜面S1を、下面周方向中程に放射状の係合凹溝21を凹設したロック用の仕切板20a として構成している。更に、このロック用の仕切板20a から所定枚数位置の二枚の仕切板を、同様に中心側端面を外方へ凹ませて径方向の長さを短く構成した矮狭仕切板20b ，20b として構成している。
【００２８】
各仕切板20，ロック用の仕切板20a ，矮狭仕切板20b はカバー筒２と一体に形成しているが、当然別体に形成して組み付けることも可能であり、その場合、比較的厚みを必要とする場合が多い仕切板20の形成がより容易に行えて、ヒケ等の発生を極力防止できる利点がある。
【００２９】
また、カバー筒２の内周縁部の下部に複数の第２傾斜面S2を環状に配置している。各第２傾斜面S2は、原則として前記第１傾斜面S1と同数であり、隣接する一対の前記第１傾斜面S1間を掛けたわす位置にそれぞれ設けている。図示例では、前記台板部13の上面に縦断面直角三角形状の突部23を等間隔に環状に配置し、各突部23の傾斜面をそれぞれ第２傾斜面S2として構成しており、第２傾斜面S2の一側縁が対応する第１傾斜面S1の周方向中間部に位置し、また、第２傾斜面の他側縁が前記第１傾斜面S1に隣接する第１傾斜面S1の周方向中間部に位置する如く構成している。
【００３０】
ノズル３はエアゾール容器体Ａのステム８に嵌着するとともに、前記カバー筒２の頂部より上方付勢状態で押し込み可能に上端部を突設している。図１の例では、ステム８の外周に下端部を液密に嵌着するとともに、下端縁より外方にコイルスプリング24の下端部を係止するための有底筒状部を突設した円筒状をなしている。従って、このノズル３を押し下げれば、ステム８が押し下げられてエアゾール容器体Ａ内の公知の噴出機構により定量の液が噴出する如く構成している。
【００３１】
押釦４は前記ノズルの上部外周部に回転可能且つ前記ノズルの押し下げを可能に装着した筒状をなしている。図示例では、回転部材５を介してノズル３の押し込みを可能に構成した有頂の二重筒状をなし、ノズル３の上部外周部に回転部材５の後述する上部筒壁部を介して嵌合させており、その下面を回転部材の後述するフランジ部上面に突起25を介して当接載置している。また、内外周壁間に後述するロック解除機構を構成する隔壁26を張設している。
【００３２】
回転部材５は、前記ノズル３の周囲に回転可能且つ上方付勢状態で押し下げ可能に設けたもので、一対の前記仕切板20間に先端部を位置させ且つ前記第１傾斜面S1と摺動する第３傾斜面S3及び前記第２傾斜面S2と摺動する第４傾斜面S4をそれぞれ上下面に有する回動腕27を突設させている。図示例では、前記ノズル３の上部外周に回転可能且つ上下動可能に嵌合させた上部筒壁部5a下端よりフランジ部5bを介して大径に形成した下部筒壁部5cを前記取付部材2bの案内筒部14内周に上下動可能且つ回動可能に嵌合させている。また、下部筒壁部5cの上端部所定位置より外方へ回動腕27を突設してその先端部を一対の仕切板20間に位置させている。第３傾斜面S3は、半径方向と直行する方向に傾斜させており、前記各仕切板20の第１傾斜面S1と傾斜角度を略同じにして両者が当接した場合に摺動可能に構成している。同様に第４傾斜面S4も半径方向と直行する方向に傾斜させ、第２傾斜面S2と傾斜角度を同じにして両者が当接した場合に摺動可能に構成している。
【００３３】
尚、この回動腕27は少なくとも一本存在すれば用は足りるが、より安定したガタツキの少ない回転部材５の回転を図る場合には、回動腕の他に補助回動腕を突設すると良い。補助回動腕は回動腕と同じ長さのものを採用する場合と短いものを採用する場合とがあり、規定噴出量等により適宜選択することができる。回動腕と同じ長さの補助回動腕を採用する場合には、少なくもと回動腕27が360 °回動するうちに複数サイクルの規定量噴出が行われる場合である。
【００３４】
図示例の場合、短い二本の補助回動腕27a ，27a を周方向間隔をあけて突設しており、各補助回動腕は所定の突出位置に形成しており、その上面及び下面にはそれぞれ同様の第３傾斜面S3及び第４傾斜面S4を形成している。この様な補助回動腕27a の数は特に限定されないが、２〜３本程度が適当であると思われる。また、この様な短い補助回動腕27a の突設位置は隣接する回動腕或いは補助回動腕とのなす角度がそれぞれ相違する如く突設する。また、その突出幅は前記ロック用の仕切板20a 及び前記矮狭仕切板20b に接触せずに他の仕切板とその傾斜面相互を当接する突出幅とする。
【００３５】
また、回動腕27の先端部は前記カバー筒周壁10の窓孔19に臨むレベルに位置させ、先端面には、文字，記号，模様，ベタ塗り等で表現した終了を表す表示28を、印刷，シール材の貼着等の適宜方法により設けている。そして、フランジ部5b下面と前記ノズル３の有底筒状部上面との間に前記コイルスプリング24を介在させて常時上方へ付勢させている。また、フランジ部5bの上面所定位置には、後述するロック解除機構を構成する突部29を立設している。
【００３６】
本発明ではノズル３の押し下げ回数を認知し、ひいては噴出液の噴出回数即ち噴出量を認知する認知システムを備えており、該認知システムは回転部材５を押釦４の押し下げにより所定角度回動させる回転機構C1と、該回転機構と連繋させるとともに、所定回数の押釦４の押し下げ時にステム８の上昇を防止するロック機構C2とから構成している。
【００３７】
回転機構C1は、前記仕切板20と、前記回転部材５とを備え、前記押釦４の押し下げによる回転部材５の下降時に第４傾斜面S4が第２傾斜面S2を摺動し、且つ、回転部材５の上昇時には第３傾斜面が第１傾斜面S1を摺動して回動腕27が隣接する仕切板20t を乗り越える如く構成している。
【００３８】
図４を用いて説明すれば、図４に於いて(a) の状態は回動腕27がロック用の仕切板20a の隣の仕切板20とその更に隣の仕切板20間に位置した状態であり、この状態から、押釦４を押し下げることにより回転部材５をコイルスプリング24及びステム８の上方付勢力に抗して押し下げると、フランジ部5bとノズル３の有底筒状部とが当接してノズル３を押し下げ所定量の液を噴出する。また、回動腕27は当初隣接する仕切板20t に案内されて第２傾斜面S2に第４傾斜面S4が当接するまで下降し（図４(b) ）、次いで第４傾斜面S4が第２傾斜面S2を摺動して第１傾斜面S1下方に移行し（図４(c) ）、次いで押釦４の押圧を解除すると回動腕27は上昇してその第３傾斜面S3が隣接する仕切板20t の第１傾斜面S1と当接し（図４(d) ）、更に上方付勢力により第１傾斜面S1を摺動して回動腕27は当該仕切板20t を乗り越える（図４（ｅ））。
【００３９】
ロック機構C2は、所定位置に幅広なロック用の仕切板20a を設けて、その下面に回動腕27を係止可能に構成している。図４を使用して説明すれば、回動腕27が(e) の状態から押釦４を押し下げることにより回転部材５をコイルスプリング24及びステム８の上方付勢力に抗して押し下げると、同様に液を噴出し、また、回動腕27は当初隣接するロック用の仕切板20a に案内されて第２傾斜面S2に第４傾斜面S4が当接するまで下降し（図４(f) ）、次いで第４傾斜面S4が第２傾斜面S2を摺動して第１傾斜面S1下方に移行し（図４(g) ）、次いで押釦４の押圧を解除すると回動腕27は上昇してその先端が係合凹溝21に係合してそれ以上の上方への移行を防止され、その結果ノズル３及びそれと連繋したステム８は押し込まれたままの状態となり、液の噴出が防止される。従って、回動腕27が所定位置まで回動移動した際には押し込んだ押釦４は戻らず、その結果、押し下げられたままのステム８はエアゾール容器体内臓の定量バルブの作用で所定量の液が噴出した後は噴出が停止するため、所定噴出量の液を噴出したことを触覚的に認知できる。
【００４０】
また、本例ではロック機構C2によるロック状態を解除するロック解除機構C3を設けている。このロック解除機構C3は、ロック機構C2により一旦所定の噴出量の噴出が終了した後、新たに始めから所定噴出量の噴出が行える如く構成したもので、前記押釦４の所定回転位置で回転部材５と係合可能に構成し、押釦４を回動させることにより回転部材５を回動させてロック用の仕切板20a 下面に係合された回動腕27を移動させる如く構成している。      
【００４１】
図４を使用して説明すれば、回動腕27が(h) の状態から、押釦４を押し下げ回転させると、所定位置に於いて押釦４の隔壁26が回転部材５の前記突部29と係合して回転部材５を強制的に回動させ、回動腕27が(i) の位置まで回動し、次いで、押釦４の押圧を解除すると回動腕27は上昇してロック用の仕切板20a の第１傾斜面S1と当接し（図４(j) ）、更に上方付勢力により第１傾斜面S1を摺動して回動腕27は当該仕切板20a を乗り越える（図４(k) ）。
【００４２】
また、本例では、前記ロック解除機構C3によるロック解除の際に、前記回転部材５の回転により音を発する音出機構を設けている。図示例では、回動腕27の先端側部に音出し用の振動子30を突設し、該振動子30が、ロック解除のさいカバー筒２の周壁10内面所定位置に設けた突部31を乗り越えて音を出す如く構成している。
【００４３】
上記の如く構成した液体噴出器１を、収納液が頭皮用薬剤とした場合を例にとって説明する。例えば押釦４を頭皮等に圧接して押し込み、ノズル３を押し込んで収納液を噴出する、同様の押釦４の押し込みを場所をかえて適宜行えば、回転部材５はその都度所定回転角度回動して所定の回数に到達するとその回動腕27がロック用の仕切板20a の下方に於いて係合凹溝21に係合してそれ以上の噴出を行えなくなる。この際、窓孔19からは、終了の文字等の表示28が見えて、視覚的にも同様に終了を認知することができる。また、次回使用する場合には、押釦４を押圧回動させてその隔壁26を回転部材５の突部29と係合させた後更に回動させることにより、ロック用の仕切板20a 下面の回動腕27がズレて、液の噴出が可能となり、再び所定量の液の噴出が行える。
【００４４】
尚、上記例では、回動腕27より短い補助回動腕27a を突設した回転部材５を用いた例を説明したが、図６に示す如く、回動腕27と同様形態の二本の補助回動腕27a をそれぞれ等間隔に設け、また、前記ロック用仕切板20a を等間隔に三箇所設けることにより、回動腕27が一周する間に必要噴出量の終了を三回認識することができる形態とすることができる。この様な回動腕27と同じ長さの補助回動腕27a を備えることにより、より安定したよりガタツキの少ない回転部材５の回転を行えるものである。
【図面の簡単な説明】
【００４５】
【図１】本発明液体噴出器の分解斜視図である。（実施例１）
【図２】本発明液体噴出器の縦断面図である。（実施例１）
【図３】本発明液体噴出器の仕切板を説明する説明図である。（実施例１）
【図４】本発明液体噴出器の作用を説明する説明図である。（実施例１）
【図５】本発明液体噴出器の音出し機構部分の要部拡大説明図である。（実施例１）
【図６】本発明液体噴出器の仕切板を説明する説明図である。（実施例２）
【符号の説明】
【００４６】
２…カバー筒，３…ノズル，４…押釦，５…回転部材，６…リング部材，８…ステム，  19…窓孔、20…仕切板，20a …隣接する仕切板，20b …矮狭仕切板，
20t …隣接する仕切板，27…回動腕、27a …補助回動腕，28…表示，
Ａ…エアゾール容器体，C1…回転機構，C2…ロック機構，C3…ロック解除機構，
C4…表示機構，S1…第１傾斜面，S2…第２傾斜面，S3…第３傾斜面，S4…第４傾斜面
【図１】
2006325763.tif 000003
【図２】
2006325763.tif 000004
【図３】
2006325763.tif 000005
【図４】
2006325763.tif 000006
【図５】
2006325763.tif 000007
【図６】
2006325763.tif 000008